(57)【要約】【課題】装飾部と非装飾部とをより強調した装飾印刷を行なう。【解決手段】画像処理装置は、画像データと、画像データが示す画像のうち装飾領域を示す装飾領域データとを取得する。そして、画像データの装飾領域に対応する領域と装飾領域に対応しない領域とで異なる色変換処理を行なう。色変換された画像データのうち装飾領域に対応する領域に光沢性を付与した色材データを出力する。【選択図】図２
2016074110.tif 000002
【特許請求の範囲】
【請求項１】
画像データと、前記画像データが示す画像のうち装飾領域を示す装飾領域データとを取得する取得手段と、
前記画像データの前記装飾領域に対応する領域と前記装飾領域に対応しない領域とで異なる色変換処理を行なう色変換手段と、
前記色変換された画像データのうち前記装飾領域に対応する領域に光沢性を付与した色材データを出力する出力手段と
を有することを特徴とする画像処理装置。
【請求項２】
前記色変換手段は、前記装飾領域に対応する領域における任意の色の明度が前記装飾領域に対応しない領域における前記任意の色の明度と異なるように前記色変換処理を行なうことを特徴とする請求項１に記載の画像処理装置。
【請求項３】
前記色変換手段は、前記装飾領域に対応する領域における任意の色の明度が前記装飾領域に対応しない領域における前記任意の色の明度よりも高くなるように前記色変換処理を行なうことを特徴とする請求項２に記載の画像処理装置。
【請求項４】
前記色変換手段は、前記装飾領域に対応する領域における任意の色の明度が前記装飾領域に対応しない領域における前記任意の色の明度よりも低くなるように前記色変換処理を行なうことを特徴とする請求項２に記載の画像処理装置。
【請求項５】
前記色変換手段は、前記装飾領域に対応する領域における任意の色の彩度が前記装飾領域に対応しない領域における前記任意の色の彩度と異なるように前記色変換処理を行なうことを特徴とする請求項１から４のいずれか一項に記載の画像処理装置。
【請求項６】
前記色変換手段は、前記装飾領域に対応する領域における任意の色の彩度が前記装飾領域に対応しない領域における前記任意の色の彩度よりも高くなるように前記色変換処理を行なうことを特徴とする請求項５に記載の画像処理装置。
【請求項７】
前記色変換手段は、前記装飾領域に対応する領域における任意の色の彩度が前記装飾領域に対応しない領域における前記任意の色の彩度よりも低くなるように前記色変換処理を行なうことを特徴とする請求項５に記載の画像処理装置。
【請求項８】
前記色変換手段は、前記出力手段が前記色材データを出力する対象の印刷手段の色域に前記画像データをマッピングすることで前記色変換処理を行なうことを特徴とする請求項１から７のいずれか一項に記載の画像処理装置。
【請求項９】
前記色変換手段は、前記出力手段で出力される色材データに前記画像データを色分解することで前記色変換処理を行なうことを特徴とする請求項１から７のいずれか一項に記載の画像処理装置。
【請求項１０】
前記色変換手段は、予め用意された装飾テーブルと非装飾テーブルとを用いて前記色分解を行ない、前記装飾テーブルの各格子点が示す明度または彩度は、前記非装飾テーブルの対応する格子点が示す明度または彩度と異なることを特徴とする請求項９に記載の画像処理装置。
【請求項１１】
請求項１から１０のいずれか一項に記載の画像処理装置の前記出力手段から出力された色材データを用いて印刷を行なう印刷装置であって、
前記装飾領域に対応する領域に対して、無色の色材を有色の色材に上掛けすることで光沢性を付与する光沢性付与手段を有することを特徴とする印刷装置。
【請求項１２】
画像データと、前記画像データが示す画像のうち装飾領域を示す装飾領域データとを取得する取得手段と、
前記画像データの前記装飾領域に対応する領域と前記装飾領域に対応しない領域とで異なる色変換処理を行なう色変換手段と、
前記色変換された画像データのうち前記装飾領域に対応する領域に光沢性を付与する光沢性付与手段と
を有することを特徴とする画像処理システム。
【請求項１３】
画像データと、前記画像データが示す画像のうち装飾領域を示す装飾領域データとを取得する取得ステップと、
前記画像データの前記装飾領域に対応する領域と前記装飾領域に対応しない領域とで異なる色変換処理を行なう色変換ステップと、
前記色変換された画像データのうち前記装飾領域に対応する領域に光沢性を付与した色材データを出力する出力ステップと
を有することを特徴とする画像処理方法。
【請求項１４】
画像データと、前記画像データが示す画像のうち装飾領域を示す装飾領域データとを取得する取得ステップと、
前記画像データの前記装飾領域に対応する領域と前記装飾領域に対応しない領域とで異なる色変換処理を行なう色変換ステップと、
前記色変換された画像データのうち前記装飾領域に対応する領域に光沢性を付与する光沢性付与ステップと
を有することを特徴とする画像処理方法。
【発明の詳細な説明】
【技術分野】
【０００１】
本発明は、クリアの色材を用いた画像形成に用いられる画像処理装置および画像処理方法に関する。
【背景技術】
【０００２】
近年、クリア（透明）インクを用いたインクジェット記録装置やクリア（透明）トナーを用いた電子写真記録装置が提案されている。例えばクリアトナーやクリアインクを付与した装飾によってウォーターマーク、アイキャッチ、セキュリティマークなどと言われるような各種のオブジェクトを表現する方法がある。このような装飾においては、ユーザの意図によって、目立つようにしたり、目立たないようにしたりするなど装飾度合いを自由に選べることが好ましい。
【０００３】
特許文献１では、ユーザ指示に応じて、周りの光沢に対して部分的に光沢度を下げた領域、あるいは、部分的に光沢度を上げた領域を形成する技術が開示されている。特許文献１によれば、光沢度に応じて装飾部を目立つようにしたり目立たないようにしたりすることができる。
【先行技術文献】
【特許文献】
【０００４】
【特許文献１】特開２０１１−１５０１５８号公報
【発明の概要】
【発明が解決しようとする課題】
【０００５】
しかしながら、装飾部を目立たせたり目立たせなかったりする要因は光沢度の差だけではない。例えば、色の差もこの要因になる。特許文献１に記載の装置は、光沢度差しか着目していないため、装飾部をより目立たせる余地が残っている。
【課題を解決するための手段】
【０００６】
本発明に係る画像処理装置は、画像データと、前記画像データが示す画像のうち装飾領域を示す装飾領域データとを取得する取得手段と、前記画像データの前記装飾領域に対応する領域と前記装飾領域に対応しない領域とで異なる色変換処理を行なう色変換手段と、前記色変換された画像データのうち前記装飾領域に対応する領域に光沢性を付与した色材データを出力する出力手段とを有することを特徴とする。
【発明の効果】
【０００７】
本発明によれば、光沢度の差だけでなく、色の差も生じさせることで、装飾部と非装飾部とがより強調された装飾印刷が可能となる。
【図面の簡単な説明】
【０００８】
【図１】実施例１の説明で用いる画像データと装飾領域データを示す図である。
【図２】実施例１に係るプリントシステムの構成を示すブロック図である。
【図３】実施例１に係る装飾処理のブロック図である。
【図４】実施例１に係る装飾処理のフロー図である。
【図５】実施例１の説明で用いるカラーインクのマルチパス記録方法を示す図である。
【図６】実施例１の説明で用いるクリアインクのマルチパス記録方法を示す図である。
【図７】実施例２に係るプリントシステムの構成を示すブロック図である。
【図８】実施例２に係る色分解のフロー図である。
【発明を実施するための形態】
【０００９】
以下、添付の図面を参照して、本発明を好適な実施例に基づいて詳細に説明する。なお、以下の実施例において示す構成は一例にすぎず、本発明は図示された構成に限定されるものではない。
【００１０】
（実施例１）
実施例１においてはクリアインクを搭載する画像形成装置を例に挙げて説明する。また所定の領域において、クリアインクが、色材が記録された領域の上にさらに記録される画像を形成する例を説明する。
【００１１】
（装飾領域データ）
本実施例においては、画像データとは別に、画素毎に装飾領域か否かが定義された装飾領域データを用いる。図１（ａ）は画像データの例を示す図であり、図１（ｂ）は図１の（ａ）の画像データに対する装飾領域データの例を示す図である。この装飾領域データは装飾領域か否かを示す１ビットデータである。つまり、装飾領域データは、装飾領域か否かを定義する１ビットの属性値を各画素がそれぞれ有するデータである。図１（ｂ）の例では、装飾領域データは図１（ａ）の画像データのなかの星オブジェクトを装飾領域とし、星以外を装飾領域でないと定義したデータである。
【００１２】
（画像処理システムの概要）
図２は、本実施例に係る画像処理システムを構成するホスト装置（ＰＣ）１０とインクジェット方式の画像形成装置（インクジェット記録装置）２０との内部構成を示すブロック図である。
【００１３】
インクジェット記録装置２０は、基本色であるシアン（Ｃ）、マゼンタ（Ｍ）、イエロー（Ｙ）と、さらにブラック（Ｋ）とを合わせた４色の有色インクを有している。また、これら４色に加えて無色（透明色）のインクであるクリアインク（Ｃｌ）も有しており、計５色のインクによって印刷を行う。そのために、これら５色のインクを吐出する記録ヘッド２１１を備える。
【００１４】
ホスト装置１０のオペレーティングシステムで動作するプログラムとして、アプリケーション２０１やプリンタドライバがある。ホスト装置は不図示のＣＰＵ、ＲＯＭ、ＲＡＭ、ＨＤＤなどを有しており、ＣＰＵが、ＲＯＭやＨＤＤからＲＡＭに読み出されたプログラムを実行することで図２に示す各機能部として作用する。
【００１５】
アプリケーション２０１はプリンタで印刷する画像データを生成する処理と、装飾領域データを生成する処理とを実行する。装飾領域データは、例えばグラフィカル・ユーザ・インターフェイス（ＧＵＩ）を介してユーザによって画像データの所定の領域が指定されることに応じて生成される。なお、この印刷する画像データは、種々の媒体を介してＰＣに取り込むことができる。ＰＣは、デジタルカメラで撮像した例えばＪＰＥＧ形式の画像データをＣＦカードによって取り込むことができる。また、スキャナで読み取った例えばＴＩＦＦ形式の画像データやＣＤ−ＲＯＭに格納されている画像データも取り込むことができる。さらには、インターネットを介してウエブ上の画像データを取り込むこともできる。これらの取り込まれた画像データは、ＰＣのモニタに表示されてアプリケーション２０１を介した編集、加工等がなされ、例えば、ｓＲＧＢ規格のＲ、Ｇ、Ｂ信号で表されるＲＧＢ画像データが生成される。そして、印刷の指示に応じてこのＲＧＢ画像データと装飾領域データとがプリンタドライバに渡される。
【００１６】
プリンタドライバは、装飾処理部２０２、カラーマッチング部２０３、色分解部２０４、γ補正部２０５、ハーフトーニング部２０６、および印刷データ生成部２０７の各処理部として機能し、各処理を実行する。
【００１７】
装飾処理部２０２は、装飾領域データを元にＲＧＢ画像データの変換を行う。この装飾領域データ及びＲＧＢ画像データは、ホスト装置から入力され取得したデータである。詳細は後述する。
【００１８】
カラーマッチング部２０３は、色域（Ｇａｍｕｔ）のマッピングを行う。カラーマッチング部２０３は、装飾処理部２０２から出力された８ビットのＲＧＢデータを、印刷に用いるプリンタの色域内のＲＧＢデータに変換するデータ変換を行う。その際、ｓＲＧＢ規格のＲ、Ｇ、Ｂ信号によって再現される色域をインクジェットプリンタによって再現される色域内に写像するための３次元ＬＵＴと補間演算とを併用してデータ変換を行なう。なお、８ビットのＲＧＢデータとは、Ｒ，Ｇ，Ｂのそれぞれの色のデータが８ビットで構成されているデータのことである。
【００１９】
色分解部２０４は、カラーマッチング部２０３によって色域のマッピングがなされたＲＧＢデータに基づき、このＲＧＢデータが表す色を再現するインクの組み合わせに対応した色分解データ（ＣＭＹＫＣｌデータ）を求める処理を行う。この処理はカラーマッチングと同様に、３次元ＬＵＴに補間演算を併用して行う。出力は各色８ビットで、Ｃ、Ｍ、Ｙ、Ｋ、Ｃｌの各色材の色材量に対応した値を用いた色材データが出力される。その際、装飾領域データを参照し、処理する画素が非装飾領域であれば、ＣＬデータを０とし、処理する画素が装飾領域であればＣＬデータを１として出力する。この処理により、装飾領域にはクリアインクが付与され、非装飾領域にはクリアインクが付与されなくなる。
【００２０】
γ補正部２０５は、色分解部２０４によって求められた色分解データの各色のデータの階調値変換を行う。具体的には、インクジェットプリンタの各色インクの階調特性に応じた１次元ＬＵＴを用いることにより、上記色分解データがインクジェットプリンタの階調特性に線形的に対応づけられるような変換を行う。なお、クリアインクは透明であるため、クリアインクの色材量に対してはγ補正を行わない。
【００２１】
ハーフトーニング部２０６は、γ補正部２０５で出力された８ビットデータを４ビットデータに変換し出力する。この４ビットの画像データは、インクジェットプリンタにおけるドットの配置のパターン化処理における配置パターンを示すためのインデックスデータである。なお、８ビットデータを４ビットデータに変換する際に用いられる量子化処理は例えば誤差拡散法やディザマトリックスを用いた閾値処理によって行うことができる。さらに、Ｃ、Ｍ、Ｙ、Ｋ、ＣＬ信号のそれぞれの信号間に、相関関係を持たせて量子化してもよい。
【００２２】
なお、本明細書において「画素」とは、階調表現できる最小単位のことであり、複数ビットの多値データの画像処理（上記カラーマッチング、色分解、γ補正、ハーフトーニング等の処理）の対象となる最小単位である。これに関連して、上記カラーマッチング、色分解、γ補正の処理における「画像データ」は、処理対象である画素の集合を表しており、各画素が８ビットの階調値を内容とするデータである。また、ハーフトーニングの処理における「画素値」は処理対象である画素の値そのものを表しており、上記の８ビットの階調値を内容とする画素値が４ビットの階調値を内容とする画素値（インデックスデータ）に変換される。なお、ハーフトーニングでは、１つの画素は例えば２×４のマスで構成されるパターンに対応し、この１画素内の各マスをエリアと定義する。この「エリア」はドットのオン・オフが定義される最小単位である。
【００２３】
最後に、印刷データ生成部２０７は、ハーフトーニング部２０６で出力された４ビット印刷イメージデータ（インデックスデータ）に印刷制御情報を加えた印刷データを生成する。なお、上述したアプリケーション２０１およびプリンタドライバの処理は、それらのプログラムに従ってＣＰＵにより行われる。その際、プログラムはＲＯＭもしくはハードディスクから読み出されて用いられ、また、その処理実行に際してＲＡＭがワークエリアとして用いられる。
【００２４】
インクジェット記録装置２０は、ドット配置パターン化処理部２０８、マスクデータ変換処理部２０９、ヘッド駆動回路２１０、記録ヘッド２１１の構成を備える。
【００２５】
ドット配置パターン化処理部２０８は、実際の印刷画像に対応する画素ごとに、印刷イメージデータである４ビットのインデックスデータ（階調値情報）に対応したドット配置パターンに従ってドット配置を行う。上述したハーフトーニングでは、２５６値の多値濃度情報（８ビットデータ）を９値の階調値情報（４ビットデータ）までにレベル数を下げている。しかし、インクジェットプリンタの記録は、インクを記録するか否かという２値の情報である。そこで、ドット配置パターン化処理部２０８では、ハーフトーニング処理結果の出力値であるレベル０〜８の４ビットデータで表現される各画素に対し、ドット配置パターンを割当てることで、１画素内の複数のエリア各々にドットのオン・オフを定義する。つまり画素内の複数のエリア各々にドットを形成するか否かが定義され、１画素内の各エリアに「１」または「０」の２値の吐出データが配置される。
【００２６】
マスクデータ変換処理部２０９は、ドット配置パターン化処理部２０８により得られた１ビットの吐出データをマスク処理する。すなわち、記録ヘッド２１１による所定幅の走査領域の記録を、複数回の走査で完成するための各走査の吐出データを生成する。この際に、クリアインクが最終で吐出されるようにマスク処理される。すなわち、マスクデータ変換処理部２０９は、クリアインクが他のインクに対して紙面上で最表面となる吐出データを生成する。なお、マスク処理の詳細については後述する。
【００２７】
走査ごとの吐出データＣ、Ｍ、Ｙ、Ｃｌは、適切なタイミングでヘッド駆動回路に送られ、これにより、記録ヘッド２１１が駆動され、吐出データに従ってそれぞれのインクが吐出される。なお、インクジェットプリンタにおける上述のドット配置パターン化処理部２０８やマスクデータ変換処理部２０９は、それらに専用のハードウエア回路を用い、不図示の制御部を構成するＣＰＵの制御の下に実行される。なお、これらの処理がプログラムに従ってＣＰＵにより行われてもよく、また、上記処理がＰＣにおける例えばプリンタドライバによって実行されるものでもよい。
【００２８】
なお、上記ハーフトーニングおよび印刷データの生成の説明においては、ホスト装置にインストールされたプリンタドライバによって処理することを前提に説明してきたが、これに限定されるものではない。ハーフトーニングをプリンタ内部で行う構成であってもよい。続いて、本実施形態に係る各処理について、より詳しく説明する。
【００２９】
（装飾処理）
まず、装飾処理について説明する。ここでは、クリアインク部と非クリアインク部とがより強調されるように、入力画像の画素値を変換する。
【００３０】
図３は、装飾処理部２０２の機能構成を説明するためのブロック図である。画素値入力部３０１は複数の画素が配列して構成されている画像データから、処理を行うべき注目画素の画素値を１画素ずつ選択し、入力画素値を入力する。装飾領域データ入力部３０２は複数の画素が配列して構成されている装飾領域データから、注目画素に対応する位置にある画素を選択し、その画素の属性値を入力する。装飾領域判定部３０３は、入力された装飾領域データの画素の属性値に基づいて処理を行っている注目画素が装飾領域か否かを判定する。例えば、属性値が０の画素は装飾領域ではないと判定し、属性値が１の画素は装飾領域であると判定する。注目画素が装飾領域である場合、Ｌ＊ａ＊ｂ＊算出部３０４は、入力された画素値から既知ＣＩＥ  Ｌ＊ａ＊ｂ＊表色系におけるＬ＊ａ＊ｂ＊値を算出してＬ＊加算処理部３０５に出力する。Ｌ＊加算処理部３０５は入力されたＬ＊ａ＊ｂ＊値のうち、明度を示すＬ＊値に所定のＬ＊値を加算して、加算されたＬ＊ａ＊ｂ＊値を算出してＲＧＢ算出部３０６に出力する。ＲＧＢ算出部３０６は加算されたＬ＊ａ＊ｂ＊値からｓＲＧＢ規格のＲＧＢ値を算出する。出力部３０７はＲＧＢ値を出力画像データとして１画素ずつカラーマッチング部２０３に出力する。なお、出力部３０７は、注目画素が装飾領域ではない場合、画素値入力部３０１に入力された画素値（ＲＧＢ値）をカラーマッチング部２０３に出力する。
【００３１】
図４は、装飾処理部２０２の動作を説明するためのフローチャートである。図４に示す処理は、不図示のＲＯＭやＨＤＤなどに格納され、ＲＡＭに読み出されたプログラムをＣＰＵが実行することによって実現される。
【００３２】
処理が開始されると、ステップＳ４０１において画素値入力部３０１は画像データの注目画素における画素値を入力する。次に、ステップＳ４０２において装飾領域データ入力部３０２は、装飾領域データにおける注目画素に対応する画素の属性値を入力する。ステップＳ４０３において装飾領域判定部３０３は入力された装飾領域データの注目画素に対応する画素の属性値を参照して画像データの注目画素が装飾領域か否かを判定する。装飾領域であればステップＳ４０４に進み、装飾領域でなければステップＳ４０７に進む。
【００３３】
ステップＳ４０４においてＬ＊ａ＊ｂ＊算出部３０４はステップＳ４０１で入力された画像データの画素値（ＲＧＢ値）から次式を用いてＬ＊ａ＊ｂ＊値を算出する。  
【００３４】
【数１】
2016074110.tif 000003
【００３５】
ここで、Ｘ０、Ｙ０、Ｚ０は標準光の下での完全拡散反射面の三刺激値（リファレンス白色）である。標準光としては、例えば、D50光源を用いる。
【００３６】
次に、ステップＳ４０５においてＬ＊加算処理部３０５はステップＳ４０４で算出されたＬ＊ａ＊ｂ＊値のうちの、Ｌ＊の値に次式を用いて加算処理を行う。  
【００３７】
【数２】
2016074110.tif 000004
【００３８】
ここで、加算値ΔＬ＊は任意の値を取ることができ、本実施例では例えば、５のような値であるものとする。この値を大きくすればするほど、色差が強調される。
【００３９】
次に、ステップＳ４０６においてＲＧＢ算出部３０６はステップＳ４０４で算出されたａ＊ｂ＊値と、ステップＳ４０５で加算されたＬ＊値とを次式に代入して、ＲＧＢ値を算出する。
【００４０】
【数３】
2016074110.tif 000005
【００４１】
そしてステップＳ４０７において出力部３０７はステップＳ４０６で算出された画素値（ＲＧＢ値）あるいは、ステップＳ４０３でNOだった場合は、Ｓ４０１で入力した画素値を出力する。
【００４２】
ステップＳ４０８では、全ての画素を注目画素としてステップＳ４０１〜ステップＳ４０７の処理を行なったか否かを判定する。全画素に対して処理が行われていない場合はステップＳ４０１に戻り、行われた場合は装飾処理が終了する。
【００４３】
なお、ここでは、明度を示すＬ＊値を上げる例について説明したが、同様の処理で彩度を示すａ＊ｂ＊値を上げることも可能である。その場合は、ステップＳ４０５の処理において、次式のようにa*b*の値をそれぞれk倍する。
【００４４】
【数４】
2016074110.tif 000006
【００４５】
ここで比例定数kは任意の値とすることができ、例えば本実施例では、1.05の値であるものとする。この値が大きいほど色差が強調される。さらに、明度と彩度とを同時に上げる処理を行ってもよい。また、加算値ΔＬ＊や、定数定数ｋは、ユーザが指定できるようにしてもよい。以上のような処理を行なうことで、装飾処理部２０２において入力された画像データのうち、装飾領域については明度または彩度が高められた画像データが装飾処理部２０２から出力される。
【００４６】
（マスクデータ変換処理部）
次に、インクジェット記録装置２０におけるマスクデータ変換処理部２０９の処理について説明する。マスクデータ変換処理部２０９では、ドット配置パターン化処理部２０８で生成された１ビットの吐出データを各走査の吐出データ（マスクデータ）に変換する。
【００４７】
なお、ドット配置パターン化処理部２０８での処理により、記録媒体上の各画素内の各エリアに対するドットの有無は決定されている。従って、そもそも、生成された２値の吐出データをそのまま記録ヘッドの駆動回路に入力すれば、所望の画像を記録媒体に記録することが可能ではある。一方で、インクジェット記録装置においては、個々のノズルにおけるインク滴吐出特性のばらつきや記録媒体の搬送精度のばらつき等によって生じ得る画質の劣化を低減させるため、マルチパス方式の記録方式が採用されている。そこで、本実施例におけるマルチパス方式による記録を説明する。
【００４８】
図５は、カラーインクのマルチパス方式の記録方法を説明するための図であり、記録ヘッドおよび記録パターンを模式的に示している。カラーインクにおいては、第５ノズル群に対応したマスクパターンは全て白塗りであり、記録を行わない。各ノズル群が記録するパターンは互いに補完する関係にあり、第１〜第４のノズル群のパターン全てを重ね合わせると４×４のエリアに対応した領域の記録が完成する構成となっている。
【００４９】
各パターンは、走査を重ねていくことによって画像が完成されていく過程を示している。各ノズル群による走査が終了するたびに、記録媒体は矢印の方向にノズル群の幅分ずつ搬送される。よって、記録媒体の所定の記録領域（各ノズル群の幅に対応する領域）は４回の走査によって初めてのカラーインクによる画像が完成する。所定の記録領域の画像を完成させるのに必要な走査の回数をパス数と称している。このように、所定の記録領域が複数のノズル群による複数回の走査で形成されることは、個々のノズルのばらつきや記録媒体の搬送精度のばらつき等によって生じ得る画質の劣化を低減させる効果がある。
【００５０】
図６は、クリアインクのマルチパス方式の記録方法を説明するための図であり、記録ヘッドのおよび記録パターンを模式的に示している。クリアインクは、マスクパターンにより、カラーインクで用いない第５ノズル群の走査によって記録される。なお、ここでは最後の１回の走査によりクリアインクが記録される例について説明したが、クリアインクに対するマスクパターンはこれに限らない。クリアインクが記録媒体上で最表面に記録されるマスクパターンであればよい。例えば、第６ノズル群により、クリアインクがさらに複数回の走査によって記録されるマスクパターンでもよい。
【００５１】
マスクデータ変換処理部２０９では、ドット配置パターン化処理部２０８で生成された１ビットの吐出データと、図５のマスクパターンおよび図６のマスクパターンとのアンド（論理積）を取ることによって、インク毎のマスクデータが生成される。このようにマスクデータを生成すれば、記録媒体上でクリアインクが最上層となる記録が行われるので、クリアインクを上掛けすることが可能となる。
【００５２】
以上で説明したように、本実施例によれば、出力物の同一面内において装飾部と非装飾部との間に、光沢度の差だけでなく、色の差も生じさせることで、装飾部と非装飾部とがより強調された装飾印刷が可能となる。
【００５３】
なお、本実施例においては、カラーマッチング部２０３の前に装飾処理部２０２を設ける例を説明したが、カラーマッチング部２０３の後に装飾処理部２０２を設けても良い。
【００５４】
（実施例２）
実施例１では、装飾領域の画像データを補正する例を説明したが、装飾領域と非装飾領域とで色分解処理を変えてもよい。そこで、実施例２では、装飾領域と非装飾領域とで異なる色分解テーブルを用いて色分解を行う装置について説明する。なお、実施例１とは異なる点を中心に簡潔に説明する。そのため、上述した図中の同一な構成については、同じ符号を付して説明する。
【００５５】
図７は、実施例２に係るプリントシステムを構成するホスト装置（ＰＣ）とインクジェット方式の画像形成装置（インクジェット記録装置）との内部構成を示すブロック図である。実施例２では、色分解部７０４を有している。色分解部７０４は、装飾テーブル７１２及び非装飾テーブル７１３を参照可能に構成されている。装飾テーブル７１２も非装飾テーブル７１３も色分解処理に用いるルックアップテーブル（ＬＵＴ）である。装飾テーブル７１２は注目画素が装飾領域の画素である場合に参照されるテーブルであり、非装飾テーブル７１３は注目画素が非装飾領域の画素である場合に参照されるテーブルである。また、実施例２では装飾処理部２０２が含まれていない。
【００５６】
色分解部７０４は、カラーマッチング部２０３から８ｂｉｔのＲＧＢデータと装飾領域データとを入力する。色分解部７０４は、まず、画像上の左上端の画素を注目画素として処理を開始し、続いて、右方向に１画素ずつ注目画素を切り替えながら処理を進めていく。最上端の右端まで処理が終了すると、次に１段下の画素列の左端画素に注目画素を移す。このような順番で、処理操作を進めて行き、画像上の右下端の画素で処理を終了とする。
【００５７】
図８は、本実施例における色分解部７０４のフローチャートを示す図である。
【００５８】
処理が開始されると、ステップＳ８０１において色分解部７０４はカラーマッチング部２０３で色域のマッピングがなされた画像データ（ＲＧＢデータ）における注目画素の画素値を入力する。次にステップＳ８０２において色分解部７０４は、装飾領域データにおける注目画素に対応する画素の属性値を入力する。そして、ステップＳ８０３において色分解部７０４はステップＳ８０２で入力した属性値に基づいて注目画素が装飾領域か否かを判定する。装飾領域であればステップＳ８０４に進み、装飾領域でなければステップＳ８０５に進む。
【００５９】
ステップＳ８０４で色分解部７０４は、注目画素に対して装飾テーブル７１２に基づく色分解を行う。この色分解は、色域のマッピングがなされたＲＧＢデータをインクの組み合わせに対応した色分解データ（ＣＭＹＫＣｌデータ）に色分解する処理である。ステップＳ８０４では、ステップＳ８０１で入力した注目画素の画素値を色分解する。このとき、ＲＧＢの画素値が表す色より明度がΔＬ＊値だけ高い色を再現するインクの組み合わせに対応した装飾テーブル７１２を用いて、補間演算を併用して行う。つまり、装飾テーブル７１２の各格子点は、非装飾テーブル７１３の対応する各格子点が表す色より明度がΔＬ＊だけ明るい色を再現するよう生成されている。出力は各色８ビットで、Ｃ、Ｍ、Ｙ、Ｋ、Ｃｌ各色材の色材量に対応した値が出力される。
【００６０】
一方、ステップＳ８０５で色分解部７０４は、注目画素に対して非装飾テーブル７１３に基づく色分解を行う。ステップＳ８０５ではステップＳ８０４と異なり、非装飾テーブル７１３を用いて、補間演算を併用して行う。出力は各色８ビットで、Ｃ、Ｍ、Ｙ、Ｋ各色材の色材量に対応した値が用いられる。
【００６１】
ステップＳ８０６で色分解部７０４は、ステップＳ８０４またはステップＳ８０５において色分解量が決定された画素値（色材値）を出力する。なお、非装飾領域においてはCｌとして０が出力される。
【００６２】
ステップＳ８０７で色分解部７０４は、全ての画素を注目画素としてステップＳ８０１〜Ｓ８０６の処理を行なったか否かを判定する。全画素に対して処理が行われていない場合はステップＳ８０１に戻り、行われた場合は色分解処理が終了する。
【００６３】
以上で説明したように、実施例２では色分解に用いるテーブルとして、装飾用テーブルと非装飾用テーブルとを用意することで、色分解処理時に装飾部と非装飾部との違いを強調させる処理を行なうことができる。
【００６４】
（その他の実施例）
実施例１及び実施例２では、装飾部と非装飾部との間で色差が生じる例として、装飾部の彩度、明度、またはこれらの両方を高くする例を説明したが、装飾部と非装飾部に色差が生じる形態であればこの例に限られるものではない。具体的には、装飾部の彩度、明度、またはこれらの両方を高くするのではなく、低くする処理でもよい。あるいは、装飾部の彩度または明度を変更せずに、非装飾部の彩度、明度、またはこれらの両方を変更してもよい。すなわち、装飾部の彩度または明度を変更せずに、非装飾部の彩度、明度、もしくはこれらの両方を高くする、または、低くするという処理であってもよい。このような処理でも装飾部と非装飾部との間で色差が生じさせることができるので、装飾部と非装飾部とがより強調された装飾印刷が可能となる。
【００６５】
また、実施例２では、色分解の処理において装飾部と非装飾部との間で色差が生じる例について説明したが、ハーフトーニングなどの別の処理で色差が生じるようにしてもよい。
【００６６】
また、実施例１や実施例２では、クリアインクを上掛ける方法として上述のようにマルチパス方式の際の後段のパスでクリアインクを塗布する方法を例に挙げて説明したが、最終的にクリアを上掛けできればどのような方法であってもよい。
【００６７】
また、実施例１や実施例２では、非装飾部にはクリアインクを付与しない処理を行ったが、装飾部と非装飾部に光沢度の差が生じる範囲であれば、非装飾部に多少のクリアインクを付与してもよい。また、光沢度に差を付与する光沢性付与方法としてはクリアインクを用いる例を説明したが、クリアインクを用いない別の方法でもよい。
【００６８】
また、画像形成装置はインクジェット装置として説明したがそれに限られない。例えばクリアトナーを用いる電子写真方式の印刷装置であってもよい。また、ホスト装置においてカラーマッチングや色分解処理などの色変換処理を行なう例を挙げて説明したが、画像形成装置内で色変換処理を行なってもよい。
【００６９】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７０】
２０１  アプリケーション
２０２  装飾処理部
２０３  カラーマッチング部
２０４  色分解部
２０５  γ補正部
２０６  ハーフトーニング部
２０７  印刷データ生成部
【図１】
2016074110.tif 000007
【図２】
2016074110.tif 000008
【図３】
2016074110.tif 000009
【図４】
2016074110.tif 000010
【図５】
2016074110.tif 000011
【図６】
2016074110.tif 000012
【図７】
2016074110.tif 000013
【図８】
2016074110.tif 000014